(57)【特許請求の範囲】
【請求項１】
色の３原色に相当する白黒画像を時分割で表示する自発光型画像表示手段と、前記自発光型画像表示手段の光出射面側に形成され前記３原色に相当する前記白黒画像を時分割で着色して出力する色表示手段とを有する画像表示装置において、前記色表示手段は自発分極を有する液晶セルを有し、前記液晶セルは複数に分割された透明電極により表示色を複数の表示領域に対し任意に設定できる液晶カラーシャッタであり、前記液晶カラーシャッタは駆動状態における任意の時刻において少なくとも２つの表示領域が異なる表示色を表示し、各フィールド期間において赤、緑、青の表示を含む４色の表示を行い、各色のフィールド期間毎における表示期間の合計は互いに等しいことを特徴とする画像表示装置。
【請求項２】
前記自発光型画像表示手段は３原色に相当する画面を全て表示するのに必要なフィールド周期Ｆを有してライン走査により白黒画像を表示する白黒発光表示素子であり、前記液晶カラーシャッタの表示領域がｎに分割され、前記フィールド周期Ｆあたりに３原色表示を行う繰り返し周期をＮ、前記液晶カラーシャッタの応答速度がＴであるとき、前記白黒発光表示素子の蛍光体における１／１０残光時間τはτ≦（［１／４−１／３ｎ］／ＮＦ−Ｔ）／２の関係を満たすことを特徴とする請求項１記載の画像表示装置。
【請求項３】
前記赤、緑、青の表示以外の第４の表示色における表示は、前記赤、緑、青の表示が切替わる間に行うことを特徴とする請求項１または請求項２記載の画像表示装置。
【請求項４】
色の３原色に相当する白黒画像を時分割で表示する自発光型画像表示手段と、前記自発光型画像表示手段の光出射面側に形成され前記３原色に相当する前記白黒画像を時分割で着色して出力する色表示手段とを有する画像表示装置を駆動する画像表示方法において、前記色表示手段は自発分極を有する液晶セルを有し、前記液晶セルは複数に分割された透明電極により表示色を複数の表示領域に対し任意に設定できる液晶カラーシャッタであり、前記液晶カラーシャッタは駆動状態における任意の時刻において少なくとも２つの表示領域が異なる表示色を表示し、各フィールド期間において赤、緑、青の表示を含む４色の表示を行い、各色のフィールド期間毎における表示期間の合計は互いに等しいことを特徴とする画像表示方法。
【発明の詳細な説明】
【０００１】
【発明の属する技術分野】
本発明は複数の色を時間的に切り替え表示可能なカラーシャッタをモノクロ画像表示装置前面に配置することによってカラー画像を得る画像表示装置に関する。
【０００２】
【従来の技術】
カラー画像の表示方法として光の三原色であるＲＧＢからなる画像を合成もしくは分解することが通常行われている。画像表示の際の画像合成方法としてはＲＧＢのドットを２次元的に配列することによって空間的に画像を配列する空間分割表示とＲＧＢ画像を時系列的に表示する時分割表示に分けられる。通常のカラーブラウン管、液晶ディスプレイはＲＧＢ画素を２次元配列しているので空間分割表示である。画像撮像の場合も同様に空間的にＲＧＢカラーフィルタを配列させるか撮像素子の前段に時系列的に表示色が変化するカラーフィルタを設ける方法がとられる。以下は簡単のため画像を表示する場合について述べる。
【０００３】
時分割表示はＲＧＢ画像の表示に同期してＲＧＢカラーフィルタ等で高速に表示面全面の表示色を切り替えることで実現される。時分割表示は画像の表示を空間分割表示に比較して３倍以上高速に切り替える必要があるが、一つの画素をＲＧＢ画素に分割する必要が無いのでより高精細な画像が実現可能である。表示色を切り替える方法としては円盤状のカラーフィルタを３等分に色分けし、機械的に回転させる方法が最も良く知られている。電気的に表示色を切り替える方法としてはＢｏｓらにより液晶セルを２枚とその前後にカラー偏光板を設け、液晶セルのＯＮ／ＯＦＦスイッチングにより光の偏光面制御を行うことによって偏光板に吸収される波長を選択しＲＧＢ表示を行う、いわゆる液晶カラーシャッタが提案されている（特公平４−４９９２８）。液晶カラーシャッタは機械的動作が無いこと、表示画面とカラーシャッタの面積を等しくすることができるため省スペースに優れていること等が長所として挙げられる。
【０００４】
液晶カラーシャッタは、複数のカラー偏光板の吸収軸方向を直交させて配置するような構成となっている。２枚の液晶セルをＯＮ／ＯＦＦスイッチングさせることによって、入射光の偏光をそのまま透過もしくは９０°回転させ、特定の波長成分を吸収・透過させることで所望の表示色を得ることが可能となる。
従来提案されてきた液晶カラーシャッタはベンド配向を有するＰＩセルである。これは液晶セルとして一般に使用されているＴＮセルに比較して応答速度が速く、２ｍｓ  程度の応答速度が実現可能である。
【０００５】
一方、時分割表示では観測者の瞬きや視点移動、動画における物体の移動時に表示画像の輪郭が虹色に分かれて見える「色割れ」妨害が生ずる。色割れ妨害を低減するにはＲＧＢ切替え速度を高め、一定期間内により多くのＲＧＢ切替えを行うことが望ましい。１フィールド期間内に１回ずつＲＧＢ表示を行う３倍速表示の場合、各色の表示期間は１フィールドを６０Ｈｚとして１／（６０Ｈｚ×３）＝５．６ｍｓとなる。
【０００６】
しかしながら、色割れ妨害を更に低減するために１フィールド期間内にＲＧＢ表示を行う回数を増やそうとすると、図１０に示すようにＰＩセルの応答速度では不足であり、より速い応答速度を有するスイッチング素子が必要となる。例えば１フィールド６０Ｈｚにおいて２回ずつＲＧＢ表示を行う場合、各色の表示期間は１／（６０Ｈｚ×６）＝２．８ｍｓとなり、ＰＩセルの応答時間２ｍｓを除くと全体の２８％である８００μｓしか適正な表示期間が得られない。
【０００７】
【発明が解決しようとする課題】
従来の液晶シャッターを使用した時分割型表示装置は、液晶シャッターのセル自体の応答速度が十分ではなく、色割れ妨害が生じるという問題があった。
本発明は、上記問題点にかんがみてなされたもので、色割れ妨害を低減した時分割表示方式の画像表示装置及び画像表示方法を提供することを目的とする。
【０００８】
【課題を解決するための手段】
上記目的を達成するために本願発明の画像表示装置は、色の３原色に相当する白黒画像を時分割で表示する自発光型画像表示手段と、前記自発光型画像表示手段の光出射面側に形成され前記３原色に相当する前記白黒画像を時分割で着色して出力する色表示手段とを有する画像表示装置において、前記色表示手段は自発分極を有する液晶セルを有し、前記液晶セルは複数に分割された透明電極により表示色を複数の表示領域に対し任意に設定できる液晶カラーシャッタであり、前記液晶カラーシャッタは駆動状態における任意の時刻において少なくとも２つの表示領域が異なる表示色を表示し、各フィールド期間において赤、緑、青の表示を含む４色の表示を行い、各色のフィールド期間毎における表示期間の合計は互いに等しいことを特徴とする。
【０００９】
また、前記自発光型画像表示手段は３原色に相当する画面を全て表示するのに必要なフィールド周期Ｆを有してライン走査により白黒画像を表示する白黒発光表示素子であり、前記液晶カラーシャッタの表示領域がｎに分割され、前記フィールド周期Ｆあたりに３原色表示を行う繰り返し周期をＮ、前記液晶カラーシャッタの応答速度がＴであるとき、前記白黒発光表示素子の蛍光体における１／１０残光時間τはτ≦（［１／４−１／３ｎ］／ＮＦ−Ｔ）／２の関係を満たすことを特徴とする。
【００１１】
更に、前記赤、緑、青の表示以外の第４の表示色における表示は、前記赤、緑、青の表示が切替わる間に行うことを特徴とする。
【００１２】
また、本願発明の画像表示方法は、色の３原色に相当する白黒画像を時分割で表示する自発光型画像表示手段と、前記自発光型画像表示手段の光出射面側に形成され前記３原色に相当する前記白黒画像を時分割で着色して出力する色表示手段とを有する画像表示装置を駆動する画像表示方法において、前記色表示手段は自発分極を有する液晶セルを有し、前記液晶セルは複数に分割された透明電極により表示色を複数の表示領域に対し任意に設定できる液晶カラーシャッタであり、前記液晶カラーシャッタは駆動状態における任意の時刻において少なくとも２つの表示領域が異なる表示色を表示し、各フィールド期間において赤、緑、青の表示を含む４色の表示を行い、各色のフィールド期間毎における表示期間の合計は互いに等しいことを特徴とする。
【００１３】
【発明の実施の形態】
本発明の画像表示装置及び画像表示方法においては、白黒画像を時分割で表示する手段として白色発光のモノクロＣＲＴをはじめ、モノクロＥＬ発光表示素子あるいはＦＥＤ、プラズマ表示素子などライン走査により白黒画像を表示する白黒発光表示素子が使用可能である。
【００１４】
本発明の色表示手段においては、少なくとも２枚の強誘電性液晶もしくは反強誘電性液晶など自発分極を有する液晶を使用した液晶セルと、吸収軸において特定の可視波長領域のみの光成分を吸収することのできる有彩色偏光板によって構成される液晶カラーシャッタによって構成されるか、もしくは強誘電性液晶もしくは反強誘電性液晶など自発分極を有する液晶層に２  色性色素を混入させたいわゆるゲストホスト（ＧＨ）液晶セルを用いた液晶カラーシャッタによって構成される。ＧＨ液晶セルを使用する場合はシアン、マゼンタ、イエローの各２  色性色素をＧＨ液晶セルに用いた３層構造とするか、レッド、グリーン、ブルーの２色性色素をＧＨ液晶セルに用いた３層構造により液晶カラーシャッタ動作を実現できる。また、これら液晶層は高分子構造となっていても良い。液晶カラーシャッタの原理は、例えば特公平４−４９９２８に詳述されているように、電圧の印加状態を切り替えることによって液晶セルのリタデーションを１枚あたり２状態、２枚で４状態を与えることができる。この４状態のうち３状態を使用してＲＧＢ３原色表示を行うものである。その方法は光の偏光面が液晶セル透過時に、液晶セルのリタデーションにより偏光状態が変化することによって光経路中に設けられた有彩色偏光板に吸収される可視光成分を選択的に切り替えることで実現される。有彩色偏光板の偏光軸は直交関係で複数枚組み合わされるが、強誘電性液晶、もしくは反強誘電性液晶セルのリタデーションはある電圧印加条件において偏光板の偏光軸の一方に対し平行方向、他方の印加条件において４５°方向を成すようにとる。また、リタデーションの中心波長は４５０〜５８０ｎｍに設定することが望ましい。この光学配置を取ることで入射側偏光板を透過した入射偏光に対し前者の状態では変調を受けず透過、後者では９０°偏光面が回転することとなる。電圧の印加条件は各状態において一方は正極性を印加、他方を同電圧の負極性とすることが望ましい。例えば、Ｒ色を表示するために１枚目の液晶セルに＋Ｖ（Ｖ）、２枚目の液晶セルに＋Ｖ、Ｇ色を表示するために１枚目の液晶セルに＋Ｖ、２枚目の液晶セルに−Ｖ、同様にＢ色を表示するために１枚目の液晶セルに−Ｖ、２枚目の液晶セルに＋Ｖを印加する。これらＲＧＢ表示色の各表示期間は全て等期間であることが望ましい。
【００１５】
ここで、１枚目、２枚目の液晶セルに−Ｖを印加する条件が残されているが、この条件では何色を表示していても構わない。但し、ＲＧＢの表示が少なくとも１周期繰り返される１フィールド期間において、印加電圧の時間平均を０とすることにより各液晶セルに焼き付きの原因となる直流を印加しないためには、この残された表示状態（仮にＫ表示状態と呼ぶ）を各ＲＧＢ表示期間と等期間、１フィールド期間に表示することが望ましい。この場合、１フィールドあたりのＫ表示期間を３分割し、この１／３の期間に分割したＫ表示期間を各ＲＧＢ表示期間の切り替え期間に挿入する駆動方法が最も望ましい。例えば、各ＲＧＢの表示期間を［Ｒ］、［Ｇ］、［Ｂ］期間とし、１／３に等分割したＫ表示期間を［Ｋ／３］と表記すれば、１フィールド期間内に各ＲＧＢ表示を１度ずつ表示する表示シーケンスは例えば［Ｒ］［Ｋ／３］［Ｇ］［Ｋ／３］［Ｂ］［Ｋ／３］となる。ここで［Ｒ］、［Ｇ］、［Ｂ］の表示順序は任意に入れ換えても構わない。
上に述べた表示シーケンスは言うまでもなく例えばモノクロＣＲＴの電子ビーム走査に同期して切り替えられる。例えばＲ画面を走査している場合には液晶カラーシャッタはＲ表示となる。この場合、電子ビームは観測者側から見て画面の左上から右下に向かいインタレースもしくはノンインタレース走査されるが、仮に液晶カラーシャッタが分割されておらず、カラーシャッタの画面全体が一斉に切り替わってしまうと仮定すると、望ましくない表示色が表示されている［Ｋ／３］期間中には画面が走査できない。従って、液晶カラーシャッタは画面縦方向に向かって複数の領域に分割され、電子ビームの走査に同期してスクロール表示切替えを行う必要がある。
【００１６】
ここで、電子ビームの走査期間と液晶カラーシャッタの表示期間とのタイミングを考える。例えば、液晶カラーシャッタのある表示領域においてＲ表示を行う必要のある期間［Ｒ］は、該当するＣＲＴ画面領域においてＲ画像を電子ビームで走査する走査期間及びビーム走査によって蛍光体が発光している残光期間である。従って、あるフィールド周波数で画面を更新する場合、１フィールド期間内でＲＧＢ表示を繰り返し表示する回数によって決定される１回あたりの表示期間［Ｒ］内に所定の表示領域の電子ビーム走査と該走査によって発光する蛍光体の残光が消滅するまでの期間が含まれるという関係が満たされなくてはならない。今、蛍光体の残光時間特性が指数関数に従い減少すると仮定し、蛍光体の発光強度が１／１０に減衰する１／１０残光時間の許容時間と液晶カラーシャッタの構成、駆動条件との関係を導出する。１フィールド周波数をＦ（Ｈｚ）とすると、１フィールド期間は１／Ｆ（ｓ）である。１／Ｆ期間内にＲＧＢ切り替え表示を行うサイクル数をＮ（例えばＮ＝２の場合、各ＲＧＢ表示を１フィールド期間内にＲＧＢＲＧＢと２  回繰り返し表示する）とすると、１回のＲＧＢ繰り返し期間は１／ＮＦ（ｓ）である。先に述べたように、強誘電性液晶、もしくは反強誘電性液晶セルでは１／ＮＦ期間内にＲＧＢ表示以外にＫ表示を行う必要があるので、ＲＧＢ各々の表示期間はそれぞれ１／４ＮＦ（ｓ）となる。一方、液晶カラーシャッタの表示領域をｎ等分すれば、各ＲＧＢ画像を各表示領域において走査するのに必要な期間はフライバック期間を近似的に無視すれば１／３ｎＮＦである。ここで、蛍光体の１／１０残光時間をτ（ｓ）とすると、発光強度が殆ど減衰し終えたとみなせる強度比−４０ｄＢとなる１／１００残光時間は２τであるから、これに液晶の応答速度Ｔ  を加味して１／４ＮＦ≧１／３ｎＮＦ＋２τ＋Ｔが求める駆動条件となる。即ち、蛍光体の１／１０残光時間τの許容時間はτ≦（［１／４−１／３ｎ］／ＮＦ−Ｔ）／２で与えられる。例えば、Ｆ＝６０Ｈｚ、Ｎ＝１、ｎ＝５分割、Ｔ＝０．３ｍｓの場合、１／１０残光時間τの条件はτ≦１．３７ｍｓとなる。図８  に、表示画面の分割数ｎ、１フィールド期間中にＲＧＢ表示を行うサイクル数Ｎに対する残光強度−４０ｄＢの条件を満足する蛍光体の１／１０残光許容時間の関係を示す。
【００１７】
【実施例】
以下、本発明の実施例について説明する。但し、本発明の構成は実施例に述べる実施形態にとどまるものではなく、発明の実施形態および実施例において述べた構成の各部をさまざまに組み合わせた形態をとることが可能であることはいうまでもない。
【００１８】
（実施例１）
本発明の実施例１について説明する。図１は本発明の画像表示装置を側面及び正面から模式的に示した図である。
本実施例において、液晶カラーシャッタ１０１は反強誘電性液晶セル１０２、１０３と偏光板１０４、１０５、１０６、１０７、１０８から構成されている。画面正面（偏光板１０４側から偏光板１０７方向を見た方向）から見て、画面長手方向の光軸をＡ、画面短手方向の光軸をＡ’  にとると、反強誘電性液晶セルの進相軸Ｆの一つはＡ、Ａ’  に対して４５°を成している。液晶カラーシャッタの背面には白黒ＣＲＴ１０９が密着して設置されている。
【００１９】
図２は液晶カラーシャッタ１０１における反強誘電性液晶セル１０２もしくは１０３のシャッタ動作原理を示す図である。無彩色（ニュートラルグレー）の偏光板２０１の偏光透過軸をＰとし、反強誘電性液晶セル１０２もしくは１０３に正負の極性電圧Ｖを印加した場合の進相軸ＦがＰに対し０（９０°）と４５°を成すような方位に設置すると、負極性電圧印加時において入射光の位相は変調を受けず、正極性電圧印加時には４５°偏光面が回転する。従って、グラフに示すように、印加する電圧の極性を選択することで入射光に対する透過／吸収のシャッタ動作が可能となる。
【００２０】
図３（ａ）は本実施例における液晶カラーシャッタ１０１を構成する偏光板１０４〜１０８の表示色と偏光軸（吸光軸）の方位の関係を示した図である。偏光板の表示色は可視波長域においてどの範囲の波長域を吸収もしくは透過するかによって決定される。偏光板１０４は無彩色偏光板であるので吸収軸においては全可視波長範囲を吸収する。それ以外の有彩色偏光板１０５〜１０８の吸収軸における透過率をグラフに示す。透過軸側の透過率特性はグラフには図示しないが、全ての偏光板において全可視域に渡ってほぼ均一な透過特性を示している。
図３（ｂ）は図３（ａ）における偏光板の構成、方位の条件において、液晶セル１０２、１０３に印加する電圧の極性と液晶カラーシャッタ１０１として得られるＲＧＢ表示の対応関係とＲＧＢ表示時の透過率特性を示している。液晶セル１０２に正極性、１０３に負極性の電圧を印加した場合、ＲＧＢ以外の第４の表示色として黒表示（本実施例では茶褐色であるが便宜的に「黒」と呼ぶことにする）が得られる。
【００２１】
図４は本実施例における画像表示装置の表示画面を正面から見た図である。図４（ａ）は液晶カラーシャッタ１０１においてＲＧＢを分割して表示できる表示領域を示している。表示領域は本実施例においてほぼ６等分されており、各表示領域４０１〜４０６は液晶セル１０２、１０３における透明電極の一方を表示領域に対応したストライプ状に分割し、独立に電圧を印加することで各表示領域において任意のＲＧＢ表示が可能となる。一方、ＣＲＴ１０９は図４（ｂ）に示すように、通常のＣＲＴ画面走査と同様、画面左上から右下方向に向けて順次走査が行われ、モノクロ表示で各ＲＧＢ用画像が表示される。
【００２２】
図５は本実施例における画像表示装置の駆動方法及びタイミングを説明する図である。本画像表示装置では、５０１に示すように１フィールド期間（６０Ｈｚ）にＲＧＢ画像を１度ずつ表示するのでＲＧＢ切り替え表示を行うサイクル数Ｎは１である。図４における表示領域の一部、例えば表示領域４０１に着目すると、液晶カラーシャッタ１０１の駆動タイミングは５０１〜５０３、ＣＲＴ１０９の駆動タイミングは５０４、５０５で示される。即ち、５０４に示すようにＣＲＴ側でＲ画像、Ｇ画像、Ｂ画像を表示するのに同期して液晶カラーシャッタの表示５０１はＲ表示、Ｇ表示、Ｂ表示が行われる。液晶カラーシャッタの直流印加による焼き付きを避けるため、各ＲＧＢ表示期間の後半は第４の表示色である黒表示が行われる。即ち、１フィールド期間において液晶カラーシャッタ１０１の表示領域４０１は［Ｒ：赤］［Ｋ：    黒］［Ｇ：緑］［Ｋ：    黒］［Ｂ：青］［Ｋ：    黒］の順で表示される。ここで、図３の液晶セルに印加する電圧極性の対応から、液晶セル１０２、１０３に印加する電圧極性はそれぞれ５０２、５０３に示す通りとなる。実際には液晶の過渡応答期間Ｔ〜０．３ｍｓが１フィールド期間に６回含まれる。各ＲＧＢ表示期間と１回あたりの黒表示期間の比が３：１となるように選択しているので、５０２、５０３において１フィールド期間内に印加する正負極性の印加期間は互いに等しく、そのため液晶セルには直流成分が持続して印加されることがないため焼き付きなどによる表示劣化は生じない。
一方、ＣＲＴ１０９側においては表示領域４０１に相当する部分のビーム走査により白色蛍光体が発光する。５０４のＲＧＢ画像表示期間に対し、表示領域４０１の蛍光体の発光強度を５０５に示す。各ＲＧＢ画像表示期間に対して、蛍光体の発光形態は電子ビームにより表示領域４０１に相当するＣＲＴ表示領域が走査される期間と走査が終了し、他の表示領域を走査している間に発光強度が次第に減衰する残光期間に区別される。本発明の画像表示装置では、液晶カラーシャッタ１０１の表示がＲ表示から黒表示に切り替わる時点で、蛍光体の発光強度が走査期間の発光強度に対し≦−４０ｄＢとなることが望ましい。本実施例の場合、表示領域は６等分（ｎ＝６）であり、フィールド周波数は６０Ｈｚであるから、液晶セルの応答速度をＴ＝０．３ｍｓとし、蛍光体の残光時間特性を指数関数で近似すれば、ＣＲＴ１０９において使用出来る白色蛍光体の１／１０残光時間τはτ≦１．４７ｍｓとなる。
【００２３】
図６は、図４における表示領域４０１〜４０６の液晶カラーシャッタ１０２におけるＲＧＢ表示期間とＣＲＴ１０９の電子ビーム走査の位相関係を示した図である。図６では横方向に時刻、縦方向に画面縦方向の位置を模式的に示している。電子ビームが画面左上から右下に向かい走査されるに従い、各表示領域４０１〜４０６において図５に示した位相関係が保たれるよう液晶カラーシャッタ１０２のＲＧＢ表示は順次スクロール動作を行う。この時、電子ビームの垂直掃引時におけるフライバック期間（図中点線）を最小にし、ビーム掃引休止期間が生じないようにするため、液晶カラーシャッタ１０２の画面では常に複数の表示色が表示されていることになる。本手法を用いて駆動することにより、図９に示すようにビーム掃引休止期間が生じないためＣＲＴ画面上にはフライバック期間に必要なブランキング期間を除いて常に何らかの画像が表示されることになり、画面の輝度劣化を殆ど生じない。
【００２４】
（実施例２）
図７は本発明の実施例２について画像表示装置の表示画面を正面から見た図において、ＣＲＴ１０９の電子ビーム走査の方法を模式的に示した図である。本実施例では、１フィールド期間内にＲＧＢ切り替え表示を行うサイクル数Ｎを２回とした事を特徴としている。その他の構成は実施例１と同様である。
この場合、ＲＧＢ画像を２度ずつ計６回走査するため、垂直周波数は実施例１に対し２倍となるが、水平周波数の増加を避けるため、第１回目の走査時７０１と第２回目の走査７０２において、走査位置がそれぞれ補間されるようにインタレース走査が行われている。本実施例においては、フィールド周波数を実施例１と同じく６０Ｈｚとすると、Ｎ＝２から蛍光体の１／１０残光許容時間はτ≦０．６６ｍｓとなる。
その他の効果は、  実施例１と同様である。
【００２５】
【発明の効果】
以上述べたように本発明によれば、従来提案されていた液晶カラーシャッタを用いた画像表示装置に比べ色割れ妨害が少なく、且つ表示輝度の高い高画質な液晶表示装置を提供することができる。
【図面の簡単な説明】
【図１】本発明の実施例１における画像表示装置を側面及び正面から模式的に示した図
【図２】本発明の実施例１において液晶カラーシャッタにおける反強誘電性液晶セルのシャッタ動作原理を示す図
【図３（ａ）】本発明の実施例１において液晶カラーシャッタを構成する偏光板の表示色と偏光軸（吸光軸）の方位の関係を示した図
【図３（ｂ）】本発明の実施例１において液晶セルに印加する電圧の極性と得られるＲＧＢ表示の対応関係とＲＧＢ表示時の液晶カラーシャッタの透過率特性を示した図
【図４】本発明の実施例１における画像表示装置の表示画面を正面から見た図
【図５】本発明の実施例１において画像表示装置の駆動方法及びタイミングを説明する図
【図６】本発明の実施例１において液晶カラーシャッタにおけるＲＧＢ表示期間とＣＲＴの電子ビーム走査の位相関係を示した図
【図７】本発明の実施例２において画像表示装置の表示画面を正面から見た図
【図８】本発明の画像表示装置において各駆動条件におけるＣＲＴ蛍光体残光特性の望ましい値を示した図
【図９】液晶カラーシャッタの画面を分割せずに駆動を行った場合の問題点を説明する図
【図１０】従来の液晶カラーシャッタを用いて画像を表示するための駆動方法を示す図
【符号の説明】
１０１・・・  液晶カラーシャッタ
１０２、    １０３・・・  液晶セル
１０４〜１０８、２０１、２０２・・・  （有彩色）偏光板
１０９・・・  モノクロＣＲＴ
４０１〜４０６・・・  表示画面領域
４０７・・・  電子ビーム走査軌跡
５０１・・・  液晶カラーシャッタ駆動シーケンス
５０２、    ５０３・・・  液晶セル印加電圧波形
５０４・・・  ＣＲＴ駆動シーケンス
５０５・・・  蛍光体発光時間特性
７０１、    ７０２・・・  ＲＧＢ表示期間
【図１】
0003552904.tif 000002
【図２】
0003552904.tif 000003
【図３】
0003552904.tif 000004
【図４】
0003552904.tif 000005
【図５】
0003552904.tif 000006
【図６】
0003552904.tif 000007
【図７】
0003552904.tif 000008
【図８】
0003552904.tif 000009
【図９】
0003552904.tif 000010
【図１０】
0003552904.tif 000011